(57)【要約】【課題】３段階以上の光調節を行うことができるより小型な光調節装置を提供する。【解決手段】開口３ｃを有する基板３Ａ，３Ｂと、基板面に垂直な軸周りに回転可能な回転軸部材７Ａ，７Ｂと、回転軸部材７Ａと回動一体に接合された光調節部６Ａと、光調節部６Ａとは異なる軸方向位置で回転軸部材７Ｂと回動一体に接合された光調節部６Ｂと、基板３Ａに取り付けられ、回転軸部材７Ａを回転することにより光調節部６Ａを挿入／退避位置に変位させる駆動部２Ａと、基板３Ｂに取り付けられ、回転軸部材７Ｂを回転することにより光調節部６Ｂを光調節部６Ａとは異なる面内において回転させ挿入／退避位置に変位させる駆動部２Ｂと、を備え、軸方向から見たときに、光調節部６Ａと光調節部６Ｂの退避位置が重畳されている光調節装置１。【選択図】図１
2014153470.tif 000002
【特許請求の範囲】
【請求項１】
開口を通過する入射光を調節する光調節装置であって、
前記開口を有する基板と、
前記基板の基板面に垂直な回転中心軸周りに回転可能となるように、該基板に取り付けられた第１の回転軸部材と、
前記基板の基板面に垂直な回転中心軸周りに回転可能となるように、該基板に取り付けられた第２の回転軸部材と、
前記第１の回転軸部材と回動一体に接合された第１の光調節部と、
前記第１の回転軸部材と第１の光調節部との接合位置とは異なる軸方向位置において、前記第２の回転軸部材と回動一体に接合された第２の光調節部と、
前記基板に取り付けられていて、前記第１の回転軸部材を回転することにより、前記第１の光調節部を前記基板面に平行な第１の面内において回転させ、前記入射光の光路上に位置する第１の挿入位置と、前記入射光の光路上から退避した第１の退避位置と、に変位させる第１の駆動部と、
前記基板に取り付けられていて、前記第２の回転軸部材を回転することにより、前記第２の光調節部を前記基板面に平行な面であって前記第１の面とは異なる第２の面内において回転させ、前記入射光の光路上に位置する第２の挿入位置と、前記入射光の光路上から退避した第２の退避位置と、に変位させる第２の駆動部と、
を具備し、
前記軸方向から見たときに、前記第１の退避位置と前記第２の退避位置とは重畳されていることを特徴とする光調節装置。
【請求項２】
前記第１の回転軸部材と前記第２の回転軸部材とは、前記基板面に平行な面における異なる位置において前記基板に取り付けられていて、
前記軸方向から見たときに、前記第１の回転軸部材を中心とした前記第１の光調節部の回動軌跡である円弧と、前記第２の回転軸部材を中心とした前記第２の光調節部の回動軌跡である円弧と、が交差する２点の内の、一方の点が前記第１の挿入位置および前記第２の挿入位置であり、他方の点が前記第１の退避位置および前記第２の退避位置であることを特徴とする請求項１に記載の光調節装置。
【請求項３】
前記第１の回転軸部材と前記第２の回転軸部材とは、互いの回転中心軸が同一直線上に配置されるように前記基板に取り付けられていて、
前記軸方向から見たときの、前記第１の光調節部の前記第１の面内おける回転経路と、前記第２の光調節部の前記第２の面内おける回転経路とが、さらに重畳されていることを特徴とする請求項１に記載の光調節装置。
【請求項４】
前記基板は、互いに平行に配置された第１の基板と第２の基板とを有し、
前記第１の光調節部および前記第２の光調節部は、前記第１の基板と前記第２の基板との間に配設され、
前記第１の駆動部と前記第２の駆動部との内の、一方は、前記第１の基板の前記第２の基板とは反対側の基板面上に取り付けられ、他方は、前記第２の基板の前記第１の基板とは反対側の基板面上に取り付けられていることを特徴とする請求項２または請求項３に記載の光調節装置。
【請求項５】
前記第１の光調節部および前記第２の光調節部は、前記基板の一基板面側に配設され、
前記第１の駆動部および前記第２の駆動部は、前記基板の他の基板面上に取り付けられていることを特徴とする請求項２に記載の光調節装置。
【請求項６】
前記第１の光調節部の前記第１の面内おける回転経路上に配設されていて、該第１の光調節部を前記第１の退避位置に規制する第１の退避位置規制部材と、
前記第２の光調節部の前記第２の面内おける回転経路上に配設されていて、該第２の光調節部を前記第２の退避位置に規制する第２の退避位置規制部材と、
をさらに具備したことを特徴とする請求項１に記載の光調節装置。
【請求項７】
前記第１の光調節部の前記第１の面内おける回転経路上に配設されていて、該第１の光調節部を前記第１の挿入位置に規制する第１の挿入位置規制部材と、
前記第２の光調節部の前記第２の面内おける回転経路上に配設されていて、該第２の光調節部を前記第２の挿入位置に規制する第２の挿入位置規制部材と、
をさらに具備したことを特徴とする請求項６に記載の光調節装置。
【請求項８】
前記第１の光調節部が前記第１の面内において回転する際の移動空間である第１のスペースと、前記第２の光調節部が前記第２の面内において回転する際の移動空間である第２のスペースと、を所定間隔だけ離間させる離間部材をさらに具備したことを特徴とする請求項１に記載の光調節装置。
【請求項９】
前記離間部材は、前記基板と平行に配設され、前記開口を通過する入射光を妨げることのない形状に形成された離間基板であることを特徴とする請求項８に記載の光調節装置。
【発明の詳細な説明】
【技術分野】
【０００１】
本発明は、入射光の光路上に光調節部を挿脱することにより光を調節する光調節装置に関する。
【背景技術】
【０００２】
撮像機能を有する撮像機器は、各種の分野で幅広く用いられているが、その中でも比較的形状が小さい小型撮像機器の分野がある。こうした小型撮像機器の幾つかの例としては、電子内視鏡、撮像機能を備える光学顕微鏡、撮像機能を備える携帯機器、あるいはマイクロビデオスコープ等が挙げられる。
【０００３】
従来の小型撮像機器は、小型化を図ることを優先したために、レンズや絞り、光学フィルタ等の光学要素として、固定焦点レンズ、固定開口絞り、固定特性フィルタ等が採用されていた。
【０００４】
これに対して近年、こうした小型撮像機器においても高画質化が求められるようになり、上述した光調節装置の光学要素として、フォーカスレンズ、可変絞り、可変特性フィルタ等を採用する要求、すなわち、光の調節を行う光調節装置として機能する要求が高まっている。
【０００５】
そこで小型撮像機器に適用し得るように小型化を図った光調節装置が提案されている。このような光調節装置は、例えば、入射光の光路上に挿脱可能となるように光学要素を配設して構成されているが、より一層の高機能化を図るために、挿脱可能な光学要素を複数としたものも提案されている。
【０００６】
例えば特開２０１０−１６４８０３号公報には、開口を通過する入射光を調整する光調節装置であって、開口を有する基板と、基板上で光軸方向に対して垂直で各々異なる平面内を変位する複数の入射光調節手段と、入射光調節手段を駆動する複数の駆動手段と、複数の入射光調節手段の各々がそれぞれの平面内を変位する移動空間同士を所定間隔だけ離間させる離間部材と、を有し、駆動手段により複数の入射光調節手段を各々開口位置と、開口位置から退避した退避位置とに相互に変位させる光調節装置が記載されている。
【０００７】
具体的に、該公報に記載の光調節装置は、中央に開口が形成された円板状をなす基板の、周方向３等分位置に回転軸をそれぞれ設け、３種類の絞り板をこれら３つの回転軸により軸方向位置を異ならせてそれぞれ回動可能としたものとなっている。そして光軸方向から見たときに、入射光の光路上へ挿入する際には共通の挿入位置へ移動されるが、光路上から退避する際には３つの絞り板が基板における周方向の異なる退避位置へそれぞれ移動されるようになっている。このような構成により、３つの絞り板は、互いに干渉することなく駆動されるようになっている。
【０００８】
ところで、絞りやレンズ、光学フィルタなどの光調節部が複数設けられている場合には、３段階以上の光調節が可能である。例えば、光調節部が２つである場合を考えると、第１の光調節部および第２の光調節部が退避位置にある場合の入射光調節と、第１の光調節部のみが挿入位置にある場合の入射光調節と、第２の光調節部のみが挿入位置にある場合の入射光調節と、の３段階の入射光調節が可能となる。また、第１の光調節部および第２の光調節部の両方が同時に挿入位置となって機能するように構成する場合には、さらに１段階増えて、４段階の入射光調節が可能となる。
【０００９】
具体的に、第１の光調節部および第２の光調節部の両方が絞りである場合には、同時に挿入位置にしたとしても有効に機能するのは絞り開口が小さい方の絞りのみであるために、３段階の入射光調節のみが可能である。これに対して、第１の光調節部および第２の光調節部の両方がレンズである場合や、第１の光調節部がレンズであり第２の光調節部が絞りである場合などには、両方を同時に挿入位置にすれば両方がそれぞれの機能を果たすために、４段階の入射光調節が可能となる。
【先行技術文献】
【特許文献】
【００１０】
【特許文献１】特開２０１０−１６４８０３号公報
【発明の概要】
【発明が解決しようとする課題】
【００１１】
上記特開２０１０−１６４８０３号公報に記載の技術は、複数の絞り板の退避位置がそれぞれ異なっているために、絞り板を各退避位置に保持するための退避領域をそれぞれ確保する必要があり、光調節装置の開口周りの径方向の大きさが大きくなってしまう。
【００１２】
本発明は上記事情に鑑みてなされたものであり、３段階以上の光調節を行うことができるより小型な光調節装置を提供することを目的としている。
【課題を解決するための手段】
【００１３】
上記の目的を達成するために、本発明のある態様による光調節装置は、開口を通過する入射光を調節する光調節装置であって、前記開口を有する基板と、前記基板の基板面に垂直な回転中心軸周りに回転可能となるように、該基板に取り付けられた第１の回転軸部材と、前記基板の基板面に垂直な回転中心軸周りに回転可能となるように、該基板に取り付けられた第２の回転軸部材と、前記第１の回転軸部材と回動一体に接合された第１の光調節部と、前記第１の回転軸部材と第１の光調節部との接合位置とは異なる軸方向位置において、前記第２の回転軸部材と回動一体に接合された第２の光調節部と、前記基板に取り付けられていて、前記第１の回転軸部材を回転することにより、前記第１の光調節部を前記基板面に平行な第１の面内において回転させ、前記入射光の光路上に位置する第１の挿入位置と、前記入射光の光路上から退避した第１の退避位置と、に変位させる第１の駆動部と、前記基板に取り付けられていて、前記第２の回転軸部材を回転することにより、前記第２の光調節部を前記基板面に平行な面であって前記第１の面とは異なる第２の面内において回転させ、前記入射光の光路上に位置する第２の挿入位置と、前記入射光の光路上から退避した第２の退避位置と、に変位させる第２の駆動部と、を具備し、前記軸方向から見たときに、前記第１の退避位置と前記第２の退避位置とは重畳されている。
【発明の効果】
【００１４】
本発明の光調節装置によれば、より小型化を図りながら、３段階以上の光調節を行うことが可能となる。
【図面の簡単な説明】
【００１５】
【図１】本発明の実施形態１における光調節装置の構成を示す分解斜視図。
【図２】上記実施形態１における光調節装置の構成を示す斜視図。
【図３】上記実施形態１における回転軸部材の磁気的構成を示す斜視図。
【図４】上記実施形態１における駆動部の一動作時の様子を示す図。
【図５】上記実施形態１における駆動部の他の動作時の様子を示す図。
【図６】上記実施形態１において、第１の光調節部および第２の光調節部が挿入位置にあるときの様子を示す配置図。
【図７】上記実施形態１において、第１の光調節部が退避位置、第２の光調節部が挿入位置にあるときの様子を示す配置図。
【図８】上記実施形態１において、第１の光調節部が挿入位置、第２の光調節部が退避位置にあるときの様子を示す配置図。
【図９】上記実施形態１において、第１の光調節部および第２の光調節部が退避位置にあるときの様子を示す配置図
【図１０】本発明の実施形態２における光調節装置の構成を示す分解斜視図。
【図１１】上記実施形態２における光調節装置の構成を示す斜視図。
【図１２】本発明の実施形態３における光調節装置の構成を示す分解斜視図。
【図１３】上記実施形態３における光調節装置の構成を示す斜視図。
【図１４】本発明の実施形態４における光調節装置の構成を示す分解斜視図。
【図１５】上記実施形態４における光調節装置の構成を示す斜視図。
【図１６】上記実施形態４において、第１の光調節部および第２の光調節部が挿入位置にあるときの様子を示す配置図。
【図１７】上記実施形態４において、第１の光調節部が退避位置、第２の光調節部が挿入位置にあるときの様子を示す配置図。
【図１８】上記実施形態４において、第１の光調節部が挿入位置、第２の光調節部が退避位置にあるときの様子を示す配置図。
【図１９】上記実施形態４において、第１の光調節部および第２の光調節部が退避位置にあるときの様子を示す配置図。
【図２０】本発明の実施形態５における光調節装置の構成を示す分解斜視図。
【図２１】上記実施形態５における光調節装置の構成を示す斜視図。
【発明を実施するための形態】
【００１６】
以下、図面を参照して本発明の実施の形態を説明する。
［実施形態１］
【００１７】
図１から図９は本発明の実施形態１を示したものであり、図１は光調節装置の構成を示す分解斜視図、図２は光調節装置の構成を示す斜視図、図３は回転軸部材の磁気的構成を示す斜視図、図４は駆動部の一動作時の様子を示す図、図５は駆動部の他の動作時の様子を示す図、図６は第１の光調節部および第２の光調節部が挿入位置にあるときの様子を示す配置図、図７は第１の光調節部が退避位置、第２の光調節部が挿入位置にあるときの様子を示す配置図、図８は第１の光調節部が挿入位置、第２の光調節部が退避位置にあるときの様子を示す配置図、図９は第１の光調節部および第２の光調節部が退避位置にあるときの様子を示す配置図である。
【００１８】
光調節装置１は、入射光を調節する（光調節する）ためのものであり、ここでいう光調節としては、レンズによる集光調節、絞りによる光量調節および瞳調節、ＮＤフィルタによる光量調節、偏光フィルタによる偏光調節、カラーフィルタによる帯域調節、あるいはこれらの組み合わせ等が幾つかの例として挙げられるが、これらに限定されるものではなく、光学的な調節であれば広く適用可能である。
【００１９】
以下では、光調節がレンズを用いた調節である場合を例に挙げて説明する。
【００２０】
光調節装置１は、第１の駆動部２Ａと、第２の駆動部２Ｂと、第１の基板３Ａと、第２の基板３Ｂと、離間部材である離間基板４と、第１のスペーサ５Ａと、第２のスペーサ５Ｂと、第１の光調節部６Ａと、第２の光調節部６Ｂと、第１の回転軸部材７Ａと、第２の回転軸部材７Ｂと、を備えている。
【００２１】
まず、図３〜図５を参照して、第１，第２の駆動部２Ａ，２Ｂの動作原理について説明する。本実施形態の駆動部２Ａ，２Ｂは、軸磁石でなる回転軸部材７Ａ，７Ｂを、磁力により回動する構成となっている。ただし、磁力による駆動に限定されるものではなく、その他の駆動原理に基づく駆動であっても構わない。
【００２２】
まず、回転軸部材７Ａ，７Ｂは、回転中心軸周りに異なる磁極を有するように着磁された軸磁石として構成されている。すなわち、回転軸部材７Ａ，７Ｂは、永久磁石として構成された例えば円柱状をなす軸状部材であり、軸方向が、図示しない主光学系の光軸Ｏ（図２等参照）と平行となるように配置される。この回転軸部材７Ａ，７Ｂは、例えば図３に示すように二極構成となっていて、円柱状における一方の半円柱部分がＳ極７ｓ、他方の半円柱部分がＮ極７ｎとなるように着磁されている。
【００２３】
そして、第１，第２の駆動部２Ａ，２Ｂは、芯材端において回転軸部材７Ａ，７Ｂの側面に近接するコイル芯材１１と、コイル芯材１１に巻回されたコイル１２と、を有し、コイル１２に電流を流すことにより発生する磁力をコイル芯材１１を介して回転軸部材７Ａ，７Ｂに伝達することにより、回転軸部材７Ａ，７Ｂを回動するものである。
【００２４】
コイル芯材１１は、パーマロイやケイ素鋼等の磁性体によって開曲線状（すなわち、閉曲線の一部に切目がある形状）をなすように形成されていて、図１および図２に示す例では、コイル１２が巻回された直線状の一腕部１１ｒと、コイル１２が巻回された直線状の他腕部１１ｌと、一腕部１１ｒと他腕部１１ｌとを連結する直線状の連結部１１ｍと、を備えた略三角形状に構成されている。そして、一腕部１１ｒの先端面１１ｒ１と他腕部１１ｌの先端面１１ｌ１とが、一対の芯材端の面として、回転軸部材７Ａ，７Ｂの両側面（図示の例では回転軸部材７Ａ，７Ｂが円柱形であるために、回転軸部材７Ａ，７Ｂの周面の両側）を挟み込んでいる。このようにして、コイル芯材１１と回転軸部材７Ａ，７Ｂとで閉磁気回路を構成し、コイル１２により発生された磁気を伝達するようにしている。なお、上述では閉曲線が略三角形状である例を示したが、略三角形状に限らないことはいうまでもない。
【００２５】
そして、図４および図５に示すように、コイル１２に一方向の電流を流すと、一腕部１１ｒの先端面１１ｒ１と他腕部１１ｌの先端面１１ｌ１との内の、一方がＳ極、他方がＮ極に磁化され、コイル１２に他方向の電流を流すと磁化される極が逆となる。こうして、回転軸部材７Ａ，７Ｂは、自己の磁極と、コイル１２によって形成された磁場と、の磁気的相互作用によって生じる磁場ポテンシャルの極小点を目指して回動し、第１，第２の光調節部６Ａ，６Ｂは、コイル１２への一方向の電流印加により挿入位置に移動し、コイル１２への他方向の電流印加により退避位置に移動する。
【００２６】
次に、光調節装置１の筐体は、第１の基板３Ａと、第１のスペーサ５Ａと、離間基板４と、第２のスペーサ５Ｂと、第２の基板３Ｂと、をこの順に積層して接合し構成されていて、第１の基板３Ａと離間基板４と第２の基板３Ｂとは、それぞれの基板面が平行であり、かつ基板面が主光学系の光軸Ｏに垂直となっている。そして、上述した第１の駆動部２Ａは、第１の基板３Ａの一面側（離間基板４がある側と反対側となる図１の上面側）に取り付けられ、第２の駆動部２Ｂは、第２の基板３Ｂの他面側（離間基板４がある側と反対側となる図１の下面側）に取り付けられる。
【００２７】
第１の基板３Ａおよび第２の基板３Ｂは、何れも、円板部３ａに矩形状の基端部３ｂを連設して構成されており、円板部３ａの中央部には入射光を通過させるための形状部の一例である円形の開口３ｃが、円板部３ａの周縁部には軸磁石支持部材２１Ａまたは軸磁石支持部材２１Ｂを介して、回転軸部材７Ａまたは回転軸部材７Ｂの軸方向の一端側を挿入するためのＵ字状の切欠３ｄが、それぞれ形成されている。なお、図１に示す例においては、第１の基板３Ａの切欠３ｄは基端部３ｂとの接続部分の右側に、第２の基板３Ｂの切欠３ｄは基端部３ｂとの接続部分の左側にそれぞれ設けられているが、第２の基板３Ｂは上下を反転させれば第１の基板３Ａに形状がほぼ一致する。
【００２８】
離間部材である離間基板４は、上述した基板３Ａ，３Ｂと同様に、円板部４ａに矩形状の基端部４ｂを連設して構成されており、円板部４ａの中央部に入射光を通過させるための形状部の一例である円形の開口４ｃ（図９等参照）が、円板部４ａの周縁部の基板３Ａ，３Ｂの切欠３ｄに対応する位置（従って、本実施形態では基端部４ｂとの接続部分の両側）にＵ字状の切欠４ｄが、それぞれ形成されている。ここに、離間基板４に形成された開口４ｃは、基板３Ａ，３Ｂの開口３ｃを通過する入射光を妨げることのない形状の一例である。第１の基板３Ａの切欠３ｄに対応する切欠４ｄは回転軸部材７Ａの軸方向の基端側（図１の下端側）が挿入される部位、第２の基板３Ｂの切欠３ｄに対応する切欠４ｄは回転軸部材７Ｂの軸方向の基端側（図１の上端側）が挿入される部位である。
【００２９】
上述した基板３Ａ，３Ｂの開口３ｃおよび離間基板４の開口４ｃは、開口中心を、主光学系の光軸Ｏが通過するようになっている。
【００３０】
また、第１の基板３Ａの切欠３ｄには軸磁石支持部材２１Ａが、第２の基板３Ｂの切欠３ｄには軸磁石支持部材２１Ｂが、それぞれ取り付けられて、例えば接着剤等を用いて固定されるようになっている。
【００３１】
軸磁石支持部材２１Ａ，２１Ｂは、非磁性体により筒状に形成されていて、コイル芯材１１の一腕部１１ｒの先端面１１ｒ１と他腕部１１ｌの先端面１１ｌ１との間に挟み込まれて固定される矩形部２１ａと、基板３Ａ，３Ｂの切欠３ｄに取り付けるためのＵ字状段部２１ｂと、を備えており、矩形部２１ａとＵ字状段部２１ｂとに共通して光軸Ｏ方向に貫通する円形孔でなる軸孔２１ｃが穿設されている。これらの内の、軸磁石支持部材２１Ａの軸孔２１ｃには回転軸部材７Ａが挿通され、軸磁石支持部材２１Ｂの軸孔２１ｃには回転軸部材７Ｂが挿通されるようになっている。
【００３２】
このような構成により、軸磁石支持部材２１Ａ，２１Ｂは、回転軸部材７Ａ，７Ｂとコイル芯材１１の先端面１１ｒ１，１１ｌ１との間の距離を一定範囲に保持し、駆動部２Ａ，２Ｂによる回転軸部材７Ａ，７Ｂの駆動を安定化している。
【００３３】
なお、ここでは基板３Ａ，３Ｂに切欠３ｄを設けて、この切欠３ｄに取り付けた軸磁石支持部材２１Ａ，２１Ｂを介して軸磁石支持部材２１Ａ，２１Ｂを支持するようにしたが、これに代えて、基板３Ａ，３Ｂに例えば円形孔を穿設して、円形孔により軸磁石支持部材２１Ａ，２１Ｂを支持するようにしても構わない。
【００３４】
第１のスペーサ５Ａは、第１の基板３Ａと離間基板４との間の所定間隔を規定するものであり、第２のスペーサ５Ｂは、第２の基板３Ｂと離間基板４との間の所定間隔を規定するものである。そして、第１の基板３Ａと離間基板４との間が第１の光調節部６Ａが第１の面内において回転する際の移動空間である第１のスペースとなり、第２の基板３Ｂと離間基板４との間が第２の光調節部６Ｂが第２の面内において回転する際の移動空間である第２のスペースとなる。
【００３５】
第１のスペーサ５Ａおよび第２のスペーサ５Ｂは、第１の基板３Ａまたは第２の基板３Ｂの円板部３ａと離間基板４の円板部４ａとの先端側周方向に沿って挟み込まれる円弧状の先端スペーサ５ａと、第１の基板３Ａまたは第２の基板３Ｂの基端部３ｂと離間基板４の基端部４ｂとに挟み込まれる基端スペーサ５ｂと、を有して構成されている。
【００３６】
先端スペーサ５ａは、所定間隔を規定する機能に加えて、さらに第１の光調節部６Ａまたは第２の光調節部６Ｂが当接して挿入位置の位置決めを行う機能を果たすものとなっている。すなわち、第１のスペーサ５Ａの先端スペーサ５ａは、第１のスペースに配設され、第１の光調節部６Ａの第１の面内おける回転経路上において、第１の光調節部６Ａを後述する第１の挿入位置に規制する第１の挿入位置規制部材である。また、第２のスペーサ５Ｂの先端スペーサ５ａは、第２のスペースに配設され、第２の光調節部６Ｂの第２の面内おける回転経路上において、第２の光調節部６Ｂを後述する第２の挿入位置に規制する第２の挿入位置規制部材である。
【００３７】
また、基端スペーサ５ｂは、所定間隔を規定する機能に加えて、さらに第１の光調節部６Ａまたは第２の光調節部６Ｂが当接して退避位置の位置決めを行う機能を果たすものとなっている。すなわち、第１のスペーサ５Ａの基端スペーサ５ｂは、第１のスペースに配設され、第１の光調節部６Ａの第１の面内おける回転経路上において、第１の光調節部６Ａを後述する第１の退避位置に規制する第１の退避位置規制部材である。また、第２のスペーサ５Ｂの基端スペーサ５ｂは、第２のスペースに配設され、第２の光調節部６Ｂの第２の面内おける回転経路上において、第２の光調節部６Ｂを後述する第２の退避位置に規制する第２の退避位置規制部材である。
【００３８】
第１の光調節部６Ａおよび第２の光調節部６Ｂは、光を調節する機能を備えたものであり、上述した回転軸部材７Ａ，７Ｂが回動一体にそれぞれ接合されている。そして、回転軸部材７Ａが第１の駆動部２Ａにより回動されると第１の光調節部６Ａが第１のスペースにおいて回動し、回転軸部材７Ｂが第２の駆動部２Ｂにより回動されると第２の光調節部６Ｂが第２のスペースにおいて回動する。
【００３９】
光調節部６Ａ，６Ｂは、この例においては、リング状のレンズ枠１５にレンズ１６Ａ，１６Ｂをそれぞれ取り付けて構成されている。ここに、レンズ１６Ａ，１６Ｂは、上述した図示しない主光学系の光路上に挿入されて、主光学系の焦点距離あるいはフォーカス位置等を変更するための光学要素である。このとき、レンズ１６Ａとレンズ１６Ｂとは、異なるパワーを有するレンズであっても構わないことはいうまでもない。
【００４０】
レンズ枠１５は、周縁の一部から保持部１５ａを突設しており、この保持部１５ａに設けられた取付孔に対して回転軸部材７Ａ，７Ｂが回動一体に固定されている。
【００４１】
このような構成において光調節装置１は、第１の駆動部２Ａによって第１の回転軸部材７Ａを回転することにより、第１の光調節部６Ａを基板面に平行な第１の面内において回転させ、入射光の光路上に位置する第１の挿入位置と、入射光の光路上から退避した第１の退避位置とに変位させ、入射光を調節する。
【００４２】
また、光調節装置１は、第２の駆動部２Ｂによって第２の回転軸部材７Ｂを回転することにより、第２の光調節部６Ｂを基板面に平行な第２の面内において回転させ、入射光の光路上に位置する第２の挿入位置と、入射光の光路上から退避した第２の退避位置とに変位させ、入射光を調節する。上述したように、光調節部が複数設けられている場合には３段階以上の光調節が可能であるが、本実施形態は２つの光調節部が何れもレンズであるために、４段階の入射光調節が可能となっている。
【００４３】
そして、軸方向から見たときに、第１の回転軸部材７Ａを中心とした第１の光調節部６Ａの回動軌跡である円弧と、第２の回転軸部材７Ｂを中心とした第２の光調節部６Ｂの回動軌跡である円弧と、が交差する２点の内の、一方の点が上述した第１の挿入位置および第２の挿入位置であり、他方の点が上述した第１の退避位置および第２の退避位置である。
【００４４】
図６〜図９を参照して、４段階の入射光調節について説明する。
【００４５】
図６は、光調節部６Ａ，６Ｂのレンズ枠１５が何れも先端スペーサ５ａに当接して、第１の光調節部６Ａおよび第２の光調節部６Ｂが挿入位置にあるときの様子を示している。このときには、レンズ１６Ａおよびレンズ１６Ｂは、何れも入射光の光路上に位置している。従って、軸方向から見たときのレンズ１６Ａおよびレンズ１６Ｂは重畳されている。
【００４６】
次に、図７は、光調節部６Ａのレンズ枠１５が基端スペーサ５ｂに当接して第１の光調節部６Ａが退避位置、光調節部６Ｂのレンズ枠１５が先端スペーサ５ａに当接して第２の光調節部６Ｂが挿入位置にあるときの様子を示している。このときには、レンズ１６Ａは入射光の光路上から退避し、レンズ１６Ｂは入射光の光路上に位置している。
【００４７】
さらに、図８は、光調節部６Ａのレンズ枠１５が先端スペーサ５ａに当接して第１の光調節部６Ａが挿入位置、光調節部６Ｂのレンズ枠１５が基端スペーサ５ｂに当接して第２の光調節部６Ｂが退避位置にあるときの様子を示している。このときには、レンズ１６Ａは入射光の光路上に位置し、レンズ１６Ｂは入射光の光路上から退避している。
【００４８】
そして、図９は、光調節部６Ａ，６Ｂのレンズ枠１５が何れも基端スペーサ５ｂに当接して、第１の光調節部６Ａおよび第２の光調節部６Ｂが退避位置にあるときの様子を示している。このときには、レンズ１６Ａおよびレンズ１６Ｂは、何れも入射光の光路上から退避している。従って、軸方向から見たときのレンズ１６Ａおよびレンズ１６Ｂは重畳されている。
【００４９】
なお、回転軸部材７Ａ，７Ｂの軸方向長さは短い方が軸ブレを防ぐ観点から好ましいために、上述では第１の基板３Ａ側に第１の光調節部６Ａを、第２の基板３Ｂ側に第２の光調節部６Ｂをそれぞれ配設しているが、回転軸部材７Ａ，７Ｂの軸方向長さを長くすれば、第１の基板３Ａ側に第２の光調節部６Ｂを、第２の基板３Ｂ側に第１の光調節部６Ａをそれぞれ配設する構成を採用することも可能である。
【００５０】
このような実施形態１によれば、光調節部と駆動部とを複数対設けたために、入射光の調節を３段階以上に渡って行うことが可能となり、光調節をより広い範囲で行うことができる。
【００５１】
そして、第１の光調節部６Ａの退避位置と第２の光調節部６Ｂの退避位置とを重畳させたために、退避位置が重畳していない場合に比して、光調節装置１の光軸に垂直な方向の大きさを小型化することが可能となる。
【００５２】
また、離間基板４を設けたために、第１の光調節部６Ａが回転する移動空間である第１のスペースと、第２の光調節部６Ｂが回転する移動空間である第２のスペースと、を所定間隔だけ離間させることができる。従って、第１の光調節部６Ａと第２の光調節部６Ｂとが抵触するのを防止することができる。こうして、第１の光調節部６Ａの動作と第２の光調節部６Ｂの動作とを確実に分離して行うことが可能となる。ただし、離間基板４を設けなくても第１の光調節部６Ａと第２の光調節部６Ｂとが抵触することがない場合には、離間基板４を省略するようにしても構わない。
【００５３】
さらに、スペーサ５Ａ，５Ｂを用いているために、第１の基板３Ａと離間基板４との間の第１のスペースを第１の光調節部６Ａが回転するために必要十分な所定間隔に規定することができ、第２の基板３Ｂと離間基板４との間の第２のスペースを第２の光調節部６Ｂが回転するために必要十分な所定間隔に規定することができる。
【００５４】
そして、第１の回転軸部材７Ａと第２の回転軸部材７Ｂとは、基板面に平行な面における異なる位置（つまり、同軸でない位置）において基板に取り付けられていて、互いの距離が隔離しているために、第１の回転軸部材７Ａが回動される際に第２の回転軸部材７Ｂへ与える磁気作用を軽減し、第２の回転軸部材７Ｂが回動される際に第１の回転軸部材７Ａへ与える磁気作用を軽減することができる。
【００５５】
加えて、駆動部２Ａ，２Ｂは、基板３Ａ，３Ｂの、離間基板４とは反対側の面に取り付けられているために、第１，第２のスペースにおける光調節部６Ａ，６Ｂの移動が、駆動部２Ａ，２Ｂにより阻害されることはない。さらに、基板３Ａ，３Ｂにおける駆動部２Ａ，２Ｂの取付面は、光調節装置１の外側の面であるために、コイル１２への配線接続を比較的容易に行うことが可能となる利点がある。
【００５６】
また、基板を、離間基板４を挟み込むように平行に配置された第１の基板３Ａと第２の基板３Ｂとにより構成して、第１の基板３Ａと離間基板４との間が第１のスペース、第２の基板３Ｂと離間基板４との間が第２のスペースとなるようにし、第１の駆動部２Ａを第１の基板３Ａの第１のスペースとは反対側の面に取り付け、第２の駆動部２Ｂを第２の基板３Ｂの第２のスペースとは反対側の面に取り付けたために、第１の駆動部２Ａと第２の駆動部２Ｂとの距離が離隔する配置となり、第１の駆動部２Ａが第２の駆動部２Ｂへ与える磁気作用を軽減し、第２の駆動部２Ｂが第１の駆動部２Ａへ与える磁気作用を軽減することができる。
【００５７】
そして、離間部材を、基板３Ａ，３Ｂと平行に配設された離間基板４としたために、何れのスペーサ５Ａ，５Ｂも両側から基板により挟み込むことができ、組立が容易になる利点がある。
【００５８】
さらに、スペーサ５Ａが第１の挿入位置規制部材および第１の退避位置規制部材を兼ね、スペーサ５Ｂが第２の挿入位置規制部材および第２の退避位置規制部材を兼ねるようにしたために、別途の部材を追加することなく、第１の光調節部６Ａおよび第２の光調節部６Ｂを、挿入位置および退避位置に位置決めすることが可能となる。
【００５９】
また、軸磁石支持部材２１Ａ，２１Ｂを設けたために、回転軸部材７Ａ，７Ｂとコイル芯材１１の先端面１１ｒ１，１１ｌ１との距離を一定範囲に保持することができ、光調節装置１の動作を安定させることが可能となる。
【００６０】
このとき、基板３Ａ，３Ｂに設けた切欠３ｄに対して軸磁石支持部材２１Ａ，２１Ｂを取り付けるようにしたために、軸磁石支持部材２１Ａ，２１Ｂを軸方向に垂直な方向（基板面方向）から取り付けることが可能となる。従って、光調節部６Ａ，６Ｂが接合されている回転軸部材７Ａ，７Ｂに軸磁石支持部材２１Ａ，２１Ｂを挿通してから、光調節装置１の筐体へ取り付けるようにすれば、軸方向に垂直な方向への取り付けが可能となる。この場合には、基板３Ａ，３Ｂに設けた円形孔によって軸磁石支持部材２１Ａ，２１Ｂを支持する場合に比して、組立性を向上することができる。
［実施形態２］
【００６１】
図１０および図１１は本発明の実施形態２を示したものであり、図１０は光調節装置の構成を示す分解斜視図、図１１は光調節装置の構成を示す斜視図である。
【００６２】
この実施形態２において、上述の実施形態１と同様である部分については同一の符号を付すなどして説明を適宜省略し、主として異なる点についてのみ説明する。
【００６３】
本実施形態の光調節装置１は、離間基板４を、第１の離間基板４Ａおよび第２の離間基板４Ｂの２枚構成として、第１の光調節部６Ａおよび第１の駆動部２Ａを含む第１の光調節ユニット１Ａと、第２の光調節部６Ｂおよび第２の駆動部２Ｂを含む第２の光調節ユニット１Ｂと、をまず構成し、その後に、第１の光調節ユニット１Ａと第２の光調節ユニット１Ｂとを接合して製造するようにしたものとなっている。
【００６４】
すなわち、第１の光調節ユニット１Ａは、第１の基板３Ａと第１の離間基板４Ａとの間に第１のスペーサ５Ａを挟み込んで接合した筐体に、第１の駆動部２Ａと、第１の光調節部６Ａと、第１の回転軸部材７Ａと、を組み付けて構成されている。
【００６５】
また、第２の光調節ユニット１Ｂは、第２の基板３Ｂと第２の離間基板４Ｂとの間に第２のスペーサ５Ｂを挟み込んで接合した筐体に、第２の駆動部２Ｂと、第２の光調節部６Ｂと、第２の回転軸部材７Ｂと、を組み付けて構成されている。
【００６６】
従って、第１の光調節ユニット１Ａと第２の光調節ユニット１Ｂとは、レンズ１６Ａとレンズ１６Ｂとの相違を除いて、ほぼ同一の構成となっている。
【００６７】
その後、第１の離間基板４Ａと第２の離間基板４Ｂとを例えば接着剤等を用いて接合することにより、第１の光調節ユニット１Ａと第２の光調節ユニット１Ｂとを一体化して、図１１に示すような光調節装置１が構成される。
【００６８】
このような実施形態２によれば、上述した実施形態１とほぼ同様の効果を奏するとともに、ほぼ同一構成の第１の光調節ユニット１Ａと第２の光調節ユニット１Ｂとを製造した後に、これら２つの光調節ユニット１Ａ，１Ｂを接合することで光調節装置１が構成されるために、組立性を向上することができる。
［実施形態３］
【００６９】
図１２および図１３は本発明の実施形態３を示したものであり、図１２は光調節装置の構成を示す分解斜視図、図１３は光調節装置の構成を示す斜視図である。
【００７０】
この実施形態３において、上述の実施形態１，２と同様である部分については同一の符号を付すなどして説明を適宜省略し、主として異なる点についてのみ説明する。
【００７１】
本実施形態の光調節装置１は、第１の駆動部２Ａおよび第２の駆動部２Ｂを第１の基板３Ａのみに配置したものとなっている。
【００７２】
すなわち、上述した実施形態１，２の第１の駆動部２Ａおよび第２の駆動部２Ｂは、開口３ｃを取り囲む大きさ形状であったが、本実施形態の第１の駆動部２Ａおよび第２の駆動部２Ｂは、より小型化されて、例えば第１の基板３Ａ（あるいは第２の基板３Ｂでも構わない）の開口３ｃ周りの基板面上に設置可能な大きさ形状のものとなっている。
【００７３】
このような構成に対応して、第２の光調節部６Ｂは上下が反転して配設されていて、かつ、本実施形態の第２の回転軸部材７Ｂは、上述した実施形態１，２の第２の回転軸部材７Ｂよりも軸方向に長く形成されている。
【００７４】
さらに、第１の基板３Ａには、軸磁石支持部材２１Ａ，２１Ｂを取り付けて回転軸部材７Ａ，７Ｂを挿通するための２つの切欠３ｄが形成されている。なお、離間基板４に２つの切欠４ｄが、第２の基板３Ｂに１つの切欠３ｄが、それぞれ形成されているのは上述した実施形態１と同様である。
【００７５】
また、本実施形態の構成においては、第２の基板３Ｂには第１の駆動部２Ａおよび第２の駆動部２Ｂは何れも配設されていない。従って、（例えば、離間基板４の切欠４ｄによって回転軸部材７Ｂを軸支する等により）回転軸部材７Ｂの軸支に支障がないようであれば、第２の基板３Ｂを省略する構成を採用しても構わない。
【００７６】
このような実施形態３によれば、上述した実施形態１，２とほぼ同様の効果を奏するとともに、２つの駆動部２Ａ，２Ｂの光軸Ｏ方向の配置が同一であるために、光調節装置１の光軸Ｏ方向の厚みを薄くすることが可能となる。さらに、第２の基板３Ｂの下面側には駆動部が配設されておらず、平坦な基板面がそのまま露呈しているために、別の部材に組み込み易い利点がある。
［実施形態４］
【００７７】
図１４から図１９は本発明の実施形態４を示したものであり、図１４は光調節装置の構成を示す分解斜視図、図１５は光調節装置の構成を示す斜視図、図１６は第１の光調節部および第２の光調節部が挿入位置にあるときの様子を示す配置図、図１７は第１の光調節部が退避位置、第２の光調節部が挿入位置にあるときの様子を示す配置図、図１８は第１の光調節部が挿入位置、第２の光調節部が退避位置にあるときの様子を示す配置図、図１９は第１の光調節部および第２の光調節部が退避位置にあるときの様子を示す配置図である。
【００７８】
この実施形態４において、上述の実施形態１〜３と同様である部分については同一の符号を付すなどして説明を適宜省略し、主として異なる点についてのみ説明する。
【００７９】
第１の回転軸部材７Ａの回転中心軸と第２の回転軸部材７Ｂの回転中心軸は、上述した実施形態１〜３においては異なる直線上に（つまり、異軸に）配置されていたが、本実施形態においては同一直線上に（つまり、同軸に）配置されたものとなっている。
【００８０】
すなわち、第１の基板３Ａおよび第２の基板３Ｂの切欠３ｄは円板部３ａにおける基端部３ｂとの接続部分の左側に、離間基板４の切欠４ｄも円板部４ａにおける基端部４ｂとの接続部分の左側に、それぞれ設けられている。
【００８１】
そして、第１の基板３Ａの切欠３ｄに軸磁石支持部材２１Ａが取り付けられ、第２の基板３Ｂの切欠３ｄに軸磁石支持部材２１Ｂが取り付けられる。軸磁石支持部材２１Ａ，２１Ｂに回転軸部材７Ａ，７Ｂがそれぞれ挿通され、第１の基板３Ａの上側の基板面に駆動部２Ａが、第２の基板３Ｂの下側の基板面に駆動部２Ｂがそれぞれ取り付けられるのは上述と同様である。
【００８２】
このような構成においては、軸方向から見たときに（より具体的には、図１４および図１５の上側から下側を見たときに）、第１の光調節部６Ａおよび第２の光調節部６Ｂは、何れも、挿入位置から退避位置へ移動する際に時計回りに回動し、退避位置から挿入位置へ移動する際に半時計回りに回動する。
【００８３】
そして、軸方向から見たときの図１６〜図１９に示すように、挿入位置におけるレンズ１６Ａおよびレンズ１６Ｂが重畳され、退避位置におけるレンズ１６Ａおよびレンズ１６Ｂが重畳されるだけでなく、さらに、第１の光調節部６Ａの第１の面内おける回転経路と、第２の光調節部６Ｂの第２の面内おける回転経路とが、さらに重畳されている。
【００８４】
このような実施形態４によれば、上述した実施形態１〜３とほぼ同様の効果を奏するとともに、軸方向から見たときの第１の光調節部６Ａの回転経路と第２の光調節部６Ｂの回転経路とが重畳されているために、光調節部６Ａ，６Ｂの移動に不要な基板面積をさらに削減すことが可能となる。具体的には、駆動部２Ａ，２Ｂの設置に支障がない範囲内において、例えば図１６〜図１９の点線で囲む領域Ｄに含まれる基板部分（より詳しくは、領域Ｄに含まれる基板３Ａ，３Ｂの部分だけでなく、さらに、領域Ｄに含まれる先端スペーサ５ａの部分）の全部または一部を削減するようにしても良い。これにより、光調節装置１の光軸に垂直な方向の大きさを、より一層小型化することが可能となる。
【００８５】
また、第１の回転軸部材７Ａの回転中心軸と第２の回転軸部材７Ｂの回転中心軸とが同一直線上に配置されているために、離間基板４に設ける切欠４ｄを共有化して１つで済ませることができる利点がある。
［実施形態５］
【００８６】
図２０および図２１は本発明の実施形態５を示したものであり、図２０は光調節装置の構成を示す分解斜視図、図２１は光調節装置の構成を示す斜視図である。
【００８７】
この実施形態５において、上述の実施形態１〜４と同様である部分については同一の符号を付すなどして説明を適宜省略し、主として異なる点についてのみ説明する。
【００８８】
本実施形態の光調節装置１は、上述した実施形態４の構成において、上述した実施形態２と同様に、離間基板４を、第１の離間基板４Ａおよび第２の離間基板４Ｂの２枚構成として第１の光調節ユニット１Ａおよび第２の光調節ユニット１Ｂを製造し、その後にこれらの光調節ユニット１Ａ，１Ｂを接合するものとなっている。
【００８９】
すなわち、第１の光調節ユニット１Ａは、第１の基板３Ａと第１の離間基板４Ａとの間に第１のスペーサ５Ａを挟み込んで接合した筐体に、第１の駆動部２Ａと、第１の光調節部６Ａと、第１の回転軸部材７Ａと、を組み付けて構成されている。
【００９０】
また、第２の光調節ユニット１Ｂは、第２の基板３Ｂと第２の離間基板４Ｂとの間に第２のスペーサ５Ｂを挟み込んで接合した筐体に、第２の駆動部２Ｂと、第２の光調節部６Ｂと、第２の回転軸部材７Ｂと、を組み付けて構成されている。
【００９１】
このとき、第１の回転軸部材７Ａと第２の回転軸部材７Ｂとは回転中心軸が同一直線上にある配置であるために、第１の光調節ユニット１Ａと第２の光調節ユニット１Ｂとは、レンズ１６Ａとレンズ１６Ｂとの相違を除いて、ほぼ鏡面対象の構成となっている。
【００９２】
その後、第１の離間基板４Ａと第２の離間基板４Ｂとを例えば接着剤等を用いて接合することにより、第１の光調節ユニット１Ａと第２の光調節ユニット１Ｂとを一体化して、図２１に示すような光調節装置１が構成されるのは、上述した実施形態２と同様である。
【００９３】
このような実施形態５によれば、上述した実施形態４とほぼ同様の効果を奏するとともに、上述した実施形態２と同様に、組立性を向上することも可能となる。
【００９４】
なお、上述では光調節部、駆動部、および回転軸部材の組が２組である場合を説明したが、３組以上であっても構わない。
【００９５】
例えば、図１３に示した光調節装置１を第１の光調節ユニットとし、図１０に示した第２の光調節ユニット１Ｂと組み合わせれば、光調節部、駆動部、および回転軸部材の組を３組備える光調節装置を構成することができる。
【００９６】
また例えば、図１３に示した光調節装置１を２つ用意して、一方を第１の光調節ユニットとし、他方を第２の光調節ユニットとして組み合わせれば、光調節部、駆動部、および回転軸部材の組を４組備える光調節装置を構成することができる。
【００９７】
さらに、配線がやや面倒になっても構わなければ、駆動部を光調節部同士の間に挟み込むようにすれば、任意数の光調節ユニットを組み合わせて接合することができ、つまり、光調節部、駆動部、および回転軸部材の組を任意の複数組備える光調節装置を構成することができる。
【００９８】
そして、上述したような光調節部、駆動部、および回転軸部材の組が３組以上設けられている場合であっても、任意の２組に着目すれば、一方が第１の光調節部、第１の駆動部、および第１の回転軸部材の組、他方が第２の光調節部、第２の駆動部、および第２の回転軸部材の組となる。
【００９９】
なお、本発明は上述した実施形態そのままに限定されるものではなく、実施段階ではその要旨を逸脱しない範囲で構成要素を変形して具体化することができる。また、上記実施形態に開示されている複数の構成要素の適宜な組み合わせにより、種々の発明の態様を形成することができる。例えば、実施形態に示される全構成要素から幾つかの構成要素を削除しても良い。さらに、異なる実施形態にわたる構成要素を適宜組み合わせても良い。このように、発明の主旨を逸脱しない範囲内において種々の変形や応用が可能であることは勿論である。
【０１００】
［付記］
【０１０１】
以上詳述したような本発明の上記実施形態によれば、以下のような構成を得ることができる。
（Ａ１）  入射光を調節する光調節装置であって、
前記入射光を通過させる第１の開口を有する第１の基板と、
前記第１の基板と平行に配設され、前記第１の開口を通過する入射光を妨げることのない形状に形成された第１の離間基板と、
前記第１の基板の基板面に垂直な回転中心軸周りに回転可能となるように、該第１の基板に取り付けられた第１の回転軸部材と、
前記第１の基板と前記第１の離間基板との間において、前記第１の回転軸部材と回動一体に接合されている第１の光調節部と、
前記第１の基板に取り付けられていて、前記第１の回転軸部材を回転することにより、前記第１の光調節部を前記基板面に平行な第１の面内において回転させ、前記入射光の光路上に位置する第１の挿入位置と、前記入射光の光路上から退避した第１の退避位置と、に変位させる第１の駆動部と、
を有する第１の光調節ユニットと、
前記入射光を通過させる第２の開口を有する第２の基板と、
前記第２の基板と平行に配設され、前記第２の開口を通過する入射光を妨げることのない形状に形成された第２の離間基板と、
前記第２の基板の基板面に垂直な回転中心軸周りに回転可能となるように、該第２の基板に取り付けられた第２の回転軸部材と、
前記第２の基板と前記第２の離間基板との間において、前記第２の回転軸部材と回動一体に接合された第２の光調節部と、
前記第２の基板に取り付けられていて、前記第２の回転軸部材を回転することにより、前記第２の光調節部を前記基板面に平行な面であって前記第１の面とは異なる第２の面内において回転させ、前記入射光の光路上に位置する第２の挿入位置と、前記入射光の光路上から退避した第２の退避位置と、に変位させる第２の駆動部と、
を有する第２の光調節ユニットと、
を具備し、
前記第１の光調節ユニットと前記第２の光調節ユニットとを、前記入射光の進行方向から見て前記第１の開口と前記第２の開口とが重畳されるように接合することにより構成されていることを特徴とする光調節装置。
【０１０２】
（Ａ２）  前記第１の光調節ユニットと前記第２の光調節ユニットとは、前記第１の離間基板と前記第２の離間基板とにおいて接合され、
前記第１の離間基板および前記第２の離間基板は、前記第１の光調節部が前記第１の面内において回転する際の移動空間である第１のスペースと、前記第２の光調節部が前記第２の面内において回転する際の移動空間である第２のスペースと、を所定間隔だけ離間させていることを特徴とする付記（１）に記載の光調節装置。
【０１０３】
（Ｂ１）  入射光を調節する光調節装置であって、
前記入射光を通過させる開口を有する平行な一対の基板と、
前記基板の基板面に垂直な回転中心軸周りに回転可能となるように、該基板に取り付けられた回転軸部材と、
一対の前記基板間において、前記回転軸部材と回動一体に接合されている光調節部と、
前記基板に取り付けられていて、前記回転軸部材を回転することにより、前記光調節部を前記基板面に平行な面内において回転させ、前記入射光の光路上に位置する挿入位置と、前記入射光の光路上から退避した退避位置と、に変位させる駆動部と、
を具備する光調節ユニットを、複数、前記基板面に垂直な方向に配列して該基板面において接合することにより構成されたことを特徴とする光調節装置。
【０１０４】
（Ｃ１）  入射光を調節する光調節装置であって、
前記入射光を通過させる形状部を有する平行な一対の基板と、
一対の前記基板間において、前記基板の基板面に平行に移動可能な光調節部と、
前記基板に取り付けられていて、前記光調節部を、前記入射光の光路上に位置する挿入位置と、前記入射光の光路上から退避した退避位置と、に変位させる駆動装置と、
を具備する光調節ユニットを、複数、前記基板面に垂直な方向に配列して該基板面において接合することにより構成されたことを特徴とする光調節装置。
【０１０５】
（Ｃ２）  駆動装置は、
前記基板の基板面に垂直な回転中心軸周りに回転可能となるように該基板に取り付けられ、前記光調節部と回動一体に接合されている回転軸部材と、
前記基板に取り付けられていて、前記回転軸部材を回転することにより、前記光調節部を前記基板面に平行な面内において回転させ、前記挿入位置と前記退避位置とに変位させる駆動部と、
を有していることを特徴とする付記（Ｃ１）に記載の光調節装置。
【０１０６】
（Ｃ３）  前記基板が有する入射光を通過させる前記形状部は、開口であることを特徴とする付記（Ｃ１）に記載の光調節装置。
【符号の説明】
【０１０７】
１…光調節装置
１Ａ…第１の光調節ユニット
１Ｂ…第２の光調節ユニット
２Ａ…第１の駆動部（駆動装置）
２Ｂ…第２の駆動部（駆動装置）
３Ａ…第１の基板
３Ｂ…第２の基板
３ａ…円板部
３ｂ…基端部
３ｃ…開口
３ｄ…切欠
４…離間基板（離間部材）
４Ａ…第１の離間基板（離間部材）
４Ｂ…第２の離間基板（離間部材）
４ａ…円板部
４ｂ…基端部
４ｃ…開口
４ｄ…切欠
５Ａ…第１のスペーサ
５Ｂ…第２のスペーサ
５ａ…先端スペーサ（挿入位置規制部材）
５ｂ…基端スペーサ（退避位置規制部材）
６Ａ…第１の光調節部
６Ｂ…第２の光調節部
７Ａ…第１の回転軸部材（駆動装置）
７Ｂ…第２の回転軸部材（駆動装置）
７ｎ…Ｎ極
７ｓ…Ｓ極
１１…コイル芯材
１１ｒ…一腕部
１１ｌ…他腕部
１１ｒ１…先端面
１１ｌ１…先端面
１１ｍ…連結部
１２…コイル
１５…レンズ枠
１５ａ…保持部
１６Ａ，１６Ｂ…レンズ
２１Ａ，２１Ｂ…軸磁石支持部材
２１ａ…矩形部
２１ｂ…Ｕ字状段部
２１ｃ…軸孔
【図１】
2014153470.tif 000003
【図２】
2014153470.tif 000004
【図３】
2014153470.tif 000005
【図４】
2014153470.tif 000006
【図５】
2014153470.tif 000007
【図６】
2014153470.tif 000008
【図７】
2014153470.tif 000009
【図８】
2014153470.tif 000010
【図９】
2014153470.tif 000011
【図１０】
2014153470.tif 000012
【図１１】
2014153470.tif 000013
【図１２】
2014153470.tif 000014
【図１３】
2014153470.tif 000015
【図１４】
2014153470.tif 000016
【図１５】
2014153470.tif 000017
【図１６】
2014153470.tif 000018
【図１７】
2014153470.tif 000019
【図１８】
2014153470.tif 000020
【図１９】
2014153470.tif 000021
【図２０】
2014153470.tif 000022
【図２１】
2014153470.tif 000023